(57)【特許請求の範囲】
【請求項１】
外槽と、前記外槽の上部に設けられたカバー体と、前記外槽内に回転自在に配設した洗濯兼脱水槽と、前記洗濯兼脱水槽を回転駆動する駆動手段と、前記洗濯兼脱水槽内に給水する給水手段と、前記駆動手段、給水手段などの動作を制御し洗濯、すすぎ、脱水の各行程を逐次制御する制御手段とを備え、前記制御手段は、布団等の空気を抱え込みやすいものを洗う場合において、洗濯行程では、設定水位において前記洗濯兼脱水槽を第１の所定の回転数で回転させることにより、前記カバー体と前記洗濯兼脱水槽の上端部の間から前記洗濯兼脱水槽内へ洗濯水を散水する洗濯水散水行程を行うようにし、前記設定水位までの給水途中において、前記設定水位より低い所定水位にて給水を一時停止し、前記洗濯兼脱水槽を第２の所定の回転数で所定時間回転させることにより前記洗濯兼脱水槽内へ洗濯水を上部から散水させる空気抜き行程と、前記空気抜き行程の後、低下した水位を前記所定水位に戻すように給水を行う補給水行程とを複数回行った後、前記設定水位まで給水し前記洗濯水散水行程を行うよう構成した洗濯機。
【発明の詳細な説明】
【０００１】
【発明の属する技術分野】
本発明は、衣類を傷めたり、絡めたりすることなく、洗濯水の効果的な作用によって汚れの除去を効率的に行う洗濯機に関する。
【０００２】
【従来の技術】
従来、洗濯時の機械力による衣類の損傷や絡みを少なくする洗濯機の構成を図７を参照しながら説明する。
【０００３】
図７に示すように、外槽１６は、底部に攪拌翼１７を回転自在に配設した洗濯兼脱水槽１８を内包し、吊り棒１９により洗濯機外枠２０に吊り下げている。モータ２１は、Ｖベルト２２および減速機構兼クラッチ２３を介して、攪拌翼１７または洗濯兼脱水槽１８を駆動する。排水弁２４は洗濯兼脱水槽１８内の洗濯水を排水し、給水弁２５は洗濯兼脱水槽１８内に給水するものである。
【０００４】
洗濯兼脱水槽１８には脱水時の振動を低減させるための流体バランサー２６を設け、洗濯兼脱水槽１８の上部には蓋２７を配設している。制御装置２８は、モータ２１、排水弁２４、給水弁２５などを制御して、洗濯、すすぎ、脱水の各行程を逐次制御するものである。
【０００５】
上記構成において動作を説明すると、洗濯兼脱水槽１８に洗濯物と洗剤を投入した後、給水弁２５を作動して洗濯兼脱水槽１８内に設定水位まで給水を行い、その後、洗濯兼脱水槽１８の回転数を上昇させる。回転数が上昇することにより洗濯兼脱水槽１８の洗濯水を撹拌する力が増大し、洗濯兼脱水槽１８内の水面は、中央部が下降し、洗濯兼脱水槽１８と外槽１６との間が上昇し、ついには洗濯兼脱水槽１８の上端部の高さを越えて、洗濯兼脱水槽１８内部へと散水される。
【０００６】
洗濯兼脱水槽１８の回転数は、あらかじめ洗濯兼脱水槽１８内に洗濯水が散水される回転数に設定されている。このように洗濯水が洗濯兼脱水槽１８の上部から散水されて、洗濯物への洗濯水の供給をまんべんなく行うことにより洗濯行程を実施する。
【０００７】
【発明が解決しようとする課題】
しかしながら、この構成の洗濯機の場合、布団等の空気を抱え込みやすいものを洗う場合、洗濯水の散水が十分行われず、洗浄むらやすすぎむらを生じさせる場合があった。
【０００８】
本発明は上記課題を解決するもので、給水行程で洗濯物間に巻き込んだ空気層を除去し、給水量を確保することで、洗濯水の散水が十分行い、洗浄むらやすすぎむらを防止することを第２の目的としている。
【０００９】
【課題を解決するための手段】
本発明は上記目的を達成するために、布団等の空気を抱え込みやすいものを洗う場合において、洗濯行程では、設定水位において洗濯兼脱水槽を第１の所定の回転数で回転させることにより、カバー体と洗濯兼脱水槽の上端部の間から洗濯兼脱水槽内へ洗濯水を散水する洗濯水散水行程を行うようにし、設定水位までの給水途中において、設定水位より低い所定水位にて給水を一時停止し、洗濯兼脱水槽を第２の所定の回転数で所定時間回転させることにより洗濯兼脱水槽内へ洗濯水を上部から散水させる空気抜き行程と、空気抜き行程の後、低下した水位を所定水位に戻すように給水を行う補給水行程とを複数回行った後、設定水位まで給水し洗濯水散水行程を行うよう構成したものである。
【００１０】
これにより、布団等の空気を抱え込みやすいものを洗う場合でも、給水行程で洗濯物間に巻き込んだ空気層を除去し、給水量を確保することにより、洗濯水の散水を十分行うことが可能となり、洗浄むらやすすぎむらを防止することができる。
【００１１】
【発明の実施の形態】
本発明は、外槽と、前記外槽の上部に設けられたカバー体と、前記外槽内に回転自在に配設した洗濯兼脱水槽と、前記洗濯兼脱水槽を回転駆動する駆動手段と、前記洗濯兼脱水槽内に給水する給水手段と、前記駆動手段、給水手段などの動作を制御し洗濯、すすぎ、脱水の各行程を逐次制御する制御手段とを備え、前記制御手段は、布団等の空気を抱え込みやすいものを洗う場合において、洗濯行程では、設定水位において前記洗濯兼脱水槽を第１の所定の回転数で回転させることにより、前記カバー体と前記洗濯兼脱水槽の上端部の間から前記洗濯兼脱水槽内へ洗濯水を散水する洗濯水散水行程を行うようにし、前記設定水位までの給水途中において、前記設定水位より低い所定水位にて給水を一時停止し、前記洗濯兼脱水槽を第２の所定の回転数で所定時間回転させることにより前記洗濯兼脱水槽内へ洗濯水を上部から散水させる空気抜き行程と、前記空気抜き行程の後、低下した水位を前記所定水位に戻すように給水を行う補給水行程とを複数回行った後、前記設定水位まで給水し前記洗濯水散水行程を行うよう構成したものであり、布団等の空気を抱え込みやすいものを洗う場合、給水行程で洗濯物間に巻き込んだ空気層を除去し、給水量を確保することにより、洗濯水の散水を十分行うことが可能となり、洗浄むらやすすぎむらを防止することができる。
【００１２】
【実施例】
以下、本発明の実施例について、図面を参照しながら説明する。
【００１３】
（実施例１）
図１に示すように、外槽１は、回転自在に配設した洗濯兼脱水槽２を内包し、吊り棒３により洗濯機外枠４に吊り下げている。モータ（駆動手段）５は、Ｖベルト６および減速機構７を介して洗濯兼脱水槽２を回転駆動する。洗濯兼脱水槽２には、脱水時の振動を低減させるための流体バランサー８を配設している。カバー体９は、外槽１の上部に設けられた散水用の吐出部を形成するもので、給水弁（給水手段）１０は、洗濯兼脱水槽２内に水を給水するものであり、水位検知手段１１は、外槽１内の水位を検知するもので、排水弁１２は外槽１内の洗濯水を排水するものである。
【００１４】
制御装置（制御手段）１３は、モータ５、給水弁１０、排水弁１２などの動作を制御し、洗濯、すすぎ、脱水などの一連の行程を逐次制御するとともに、設定水位までの給水途中において、設定水位より低い少なくとも１段階の所定水位で、給水を一時停止し、洗濯兼脱水槽２を間欠的に回転駆動する行程と、洗濯行程において、洗濯兼脱水槽２の回転により、外槽１と洗濯兼脱水槽２との間から洗濯兼脱水槽２内へ洗濯水を散水する行程を有している。
【００１５】
上記構成において図２を参照しながら動作を説明すると、洗濯兼脱水槽２に洗濯物と洗剤を投入した後、図２（ａ）に示すように、給水弁１０を作動して洗濯兼脱水槽２内に給水を行い、設定水位Ｓ２より低い所定水位Ｓ１まで給水すると、給水弁１０の作動を一時停止する。その後、図２（ｂ）に示すように、洗剤液浸透行程Ｔ１からＴ２までの間、洗濯兼脱水槽２を間欠的に回転数Ｒ１で回転駆動する。
【００１６】
洗濯兼脱水槽２の回転数が上昇することにより洗濯兼脱水槽２の洗濯水を撹拌する力が増大し、洗濯兼脱水槽２内の水面は図３の１４ａに示すように、中央部が下降し、外周部が上昇する。洗濯兼脱水槽２の回転を停止させると水面は１４ｂに示すように元に戻る。
【００１７】
回転数Ｒ１は、あらかじめ水面が洗濯兼脱水槽２の底部付近まで下降する回転数に設定されている。このように、設定水位Ｓ２より低い所定水位Ｓ１で、水面を上下させることにより、洗濯物の隙間に含まれる空気を追い出しながら、洗濯物の下部から洗剤液を浸透することができる。
【００１８】
つぎに、図２（ａ）に示すように、給水弁１０を作動して洗濯兼脱水槽２内に設定水位Ｓ２まで給水を行い、図２（ｂ）に示すように、洗濯水散水行程Ｔ３からＴ４までの間、洗濯兼脱水槽２を回転数Ｒ２で回転する。洗濯兼脱水槽２の回転数が上昇することにより洗濯兼脱水槽２の洗濯水を撹拌する力が増大し、洗濯兼脱水槽２内の水面は、図４に示すように、中央部が下降し、洗濯兼脱水槽２と外槽１との間が上昇し、ついには洗濯兼脱水槽２の上端部の高さを越えて、洗濯兼脱水槽２内部へと散水される。回転数Ｒ２は、あらかじめ洗濯兼脱水槽２内に洗濯水が散水される回転数に設定されている。
【００１９】
このようにＴ３からＴ４までの間に洗濯水が洗濯兼脱水槽２の上部から散水されて、洗濯物の中を通過循環する行程が洗濯水散水行程の動作である。この行程によって、洗濯物への洗濯水の供給がまんべんなく行えるとともに、散水された洗濯水が洗濯兼脱水槽２の回転による遠心力によって洗濯物の中を繰り返し通過循環し、この洗濯水の繰り返し通過によって洗濯物に付着する汚れが除去される。すでに洗剤液浸透行程で、洗剤液を洗濯物の下部から浸透させ、洗濯物全体に洗行き渡らせているため、洗いむらを生じることはない。
【００２０】
また、この洗濯水散水行程では洗濯水の散水、通過時に洗濯物が直接撹拌されないため、洗濯物を傷めることない。
【００２１】
なお、本実施例では、所定水位Ｓ１まで給水すると、給水弁１０の作動を一時停止し、洗濯兼脱水槽２を間欠的に回転駆動しているが、この所定水位は、複数段階であってもよい。
【００２２】
（実施例２）
図５における制御装置（制御手段）１５は、図６に示すように、設定水位ｓ２までの給水途中において、洗濯兼脱水槽２へ洗濯水を散水させて洗濯物内の空気層を除去する空気抜き行程と、この行程を終了した後、低下した水位を元に戻す補給水行程を有している。他の構成は上記実施例１と同じである。
【００２３】
上記構成において図６を参照しながら動作を説明すると、洗濯兼脱水槽２に洗濯物と洗剤を投入した後、図６（ａ）に示すように、給水弁１０を作動して洗濯兼脱水槽２内に給水を行い、設定水位ｓ２より低い所定水位ｓ１まで給水すると、給水弁１０の作動を一時停止する。
【００２４】
その後、図６（ｂ）に示すように、空気抜き行程ｔ１からｔ２までの間、洗濯兼脱水槽２を回転数ｒ２で回転駆動する。洗濯兼脱水槽２の回転数が上昇することにより洗濯兼脱水槽２の洗濯水を撹拌する力が増大し、洗濯兼脱水槽２内の水面は、上記実施例１の洗濯水散水行程の部分で説明したように、中央部が下降し、洗濯兼脱水槽２と外槽１との間が上昇し、ついには洗濯兼脱水槽２の上端部の高さを越えて、洗濯兼脱水槽２内部へと散水される。回転数ｒ２は、あらかじめ洗濯兼脱水槽２内に洗濯水が散水される回転数に設定されている。
【００２５】
このとき、洗濯物の間に含まれていた空気層の部分に上部から散水された洗濯水が入り込むことにより、空気が追い出される。また、空気層に入り込んだ分だけ、水位は所定水位ｓ１よりも低下する。
【００２６】
その後、補給水行程ｔ２からｔ３までの間、給水弁１０を作動させ、所定水位ｓ１まで給水する。さらに、ｔ３からｔ４まで空気抜き行程を行い、水位低下分をｔ４からｔ５までの補給水行程で給水する。空気抜き行程と補給水行程を複数回繰り返し、洗濯物の間に含まれる空気を抜き、給水量を確保する。
【００２７】
つぎに、図６（ａ）に示すように、給水弁１０を作動して洗濯兼脱水槽２内に設定水位ｓ２まで給水を行い、図６（ｂ）に示すように、洗濯水散水行程ｔ７からｔ８までの間、洗濯兼脱水槽２を回転数ｒ１で回転する。
【００２８】
洗濯兼脱水槽２の回転数が上昇することにより洗濯兼脱水槽２の洗濯水を撹拌する力が増大し、洗濯兼脱水槽２内の水面は、中央部が下降し、洗濯兼脱水槽２と外槽１との間が上昇し、ついには洗濯兼脱水槽２の上端部の高さを越えて、洗濯兼脱水槽２内部へと散水される。回転数ｒ１は、あらかじめ洗濯兼脱水槽２内に洗濯水が散水される回転数に設定されている。
【００２９】
このようにｔ７からｔ８までの間に洗濯水が洗濯兼脱水槽２の上部から散水されて、洗濯物の中を通過循環する行程が洗濯水散水行程の動作である。この行程によって、洗濯物への洗濯水の供給がまんべんなく行えるとともに、散水された洗濯水が洗濯兼脱水槽２の回転による遠心力によって洗濯物の中を繰り返し通過循環し、この洗濯水の繰り返し通過によって洗濯物に付着する汚れが除去される。
【００３０】
すでに、給水行程で洗濯物間に巻き込んだ空気層を除去することにより、十分な給水量確保しているので、洗濯水の散水を十分行うことができるため、洗浄むらやすすぎむらを生じることはない。
【００３１】
また、この洗濯水散水行程では洗濯水の散水、通過時に洗濯物が直接撹拌されないため、洗濯物を傷めることない。
【００３２】
【発明の効果】
以上のように本発明の請求項１に記載の発明によれば、外槽と、前記外槽の上部に設けられたカバー体と、前記外槽内に回転自在に配設した洗濯兼脱水槽と、前記洗濯兼脱水槽を回転駆動する駆動手段と、前記洗濯兼脱水槽内に給水する給水手段と、前記駆動手段、給水手段などの動作を制御し洗濯、すすぎ、脱水の各行程を逐次制御する制御手段とを備え、前記制御手段は、布団等の空気を抱え込みやすいものを洗う場合において、洗濯行程では、設定水位において前記洗濯兼脱水槽を第１の所定の回転数で回転させることにより、前記カバー体と前記洗濯兼脱水槽の上端部の間から前記洗濯兼脱水槽内へ洗濯水を散水する洗濯水散水行程を行うようにし、前記設定水位までの給水途中において、前記設定水位より低い所定水位にて給水を一時停止し、前記洗濯兼脱水槽を第２の所定の回転数で所定時間回転させることにより前記洗濯兼脱水槽内へ洗濯水を上部から散水させる空気抜き行程と、前記空気抜き行程の後、低下した水位を前記所定水位に戻すように給水を行う補給水行程とを複数回行った後、前記設定水位まで給水し前記洗濯水散水行程を行うよう構成したから、布団等の空気を抱え込みやすいものを洗う場合、給水行程で洗濯物間に巻き込んだ空気層を除去し、給水量を確保することにより、洗濯水の散水を十分行うことが可能となり、洗浄むらやすすぎむらを防止することができる。
【図面の簡単な説明】
【図１】  本発明の第１の実施例の洗濯機の縦断面図
【図２】  同洗濯機の要部動作タイムチャート
【図３】  同洗濯機の洗剤液浸透行程の動作状態を示す縦断面図
【図４】  同洗濯機の洗濯水散水行程の動作状態を示す縦断面図
【図５】  本発明の第２の実施例の洗濯機の縦断面図
【図６】  同洗濯機の要部動作タイムチャート
【図７】  従来の洗濯機の縦断面図
【符号の説明】
２  洗濯兼脱水槽
【図１】
0004026232.tif 000002
【図２】
0004026232.tif 000003
【図３】
0004026232.tif 000004
【図４】
0004026232.tif 000005
【図５】
0004026232.tif 000006
【図６】
0004026232.tif 000007
【図７】
0004026232.tif 000008